(57)【要約】【課題】防護盾の強度を向上させるとともに使い勝手をよくし、しかも過剰とならない範囲で加撃機能を持たせる。【解決手段】中央部が前面側に突出するよう左右の幅方向にかけて湾曲させた防護板の左右端から中央部にかけて次第に厚肉とし、しかも中央部寄りの厚肉内に空隙部を形成した。これにより使用時において、鉄棒や刃物類、あるいは拳銃、素手などによる攻撃を受けてもその加撃力が防護板全体に応力分散して対応することができるために耐久強度に優れる。  また防護板の前面に突出先端が比較的鋭利な突起部を多数形成することにより殴る蹴るなど素手で暴れる暴漢に立ち向かった場合に、防護板表面に施された先端が比較的鋭利な突起部により暴漢自身が怪我をするおそれがあるために防護板に対する加撃が困難となり、攻撃意欲を減退させることができる。【選択図】図１
2006329505.tif 000002
【特許請求の範囲】
【請求項１】
高強度樹脂を主材とした防護板であって、該防護板は、その中央部が前面側に突出するよう左右の幅方向にかけて湾曲させるとともに、左右端から中央部にかけて次第に厚肉とし、しかも中央部寄りの厚肉内に空隙部を形成してなることを特徴とした防護盾。
【請求項２】
高強度樹脂を主材とした防護板であって、該防護板の前面には突出先端が比較的鋭利な突起部を多数形成してなることを特徴とした防護盾。
【請求項３】
防護板の前面に形成した突起部が縦横に交差するリブであるところの請求項２に記載の防護盾。
【請求項４】
防護板内には網状補強材が埋設されているところの請求項１又は請求項２に記載の防護盾。
【発明の詳細な説明】
【技術分野】
【０００１】
本発明は、学校内に侵入した暴漢や、銀行、コンビニエンスストアあるいはパチンコ店などに現れた強盗犯などに対応して子供達やあるいは自らを防護し、かつ撃退する手段として用いられる防護用の盾に関し、特に刃物類や殴打衝撃に対して十分な強度を有するとともに殴打に対する十分な防護機能を備えて攻撃意欲を減退させることを目的とする。
【背景技術】
【０００２】
防護用の盾に関しては、これまでに種々のものが発案されている。例えば裏面に把持部を取り付けた合成樹脂製の盾板本体表面にハーフミラー膜を貼着し、外面からの可視光線のうち一部のみを透過させ、それ以外の可視光線を反射して相手から使用者の動きを確認困難とするようにしたものが知られている（特開２００４−３７０３３号公報）。
【０００３】
また盾本体の一部に形成した開口部から催涙ガスを噴射するようにした催涙スプレー付きの盾も知られている（特開２００４−７７０２６号公報）。
【特許文献１】特開２００４−３７０３３号公報
【特許文献２】特開２００４−７７０２６号公報
【発明の開示】
【発明が解決しようとする課題】
【０００４】
しかしながら特許文献１のものは盾板本体自体の強度において、特に刃物類や殴打衝撃に対して十分ではなく、また特許文献２のものにあっても、使用者にときとして過剰防衛の嫌疑がかかるおそれもあり、とくに学校内に侵入した暴漢などに対する防護用の盾としては適切ではない。
【課題を解決するための手段】
【０００５】
そこで本発明にあっては、防犯用に常備する盾として特に刃物類や殴打衝撃に対する十分な強度を有するとともに、敵対攻撃手段として過剰とならず、しかも相手の特に殴打に対する防護を確実とし、これによって攻撃意欲を減退させるようにしたものであって、具体的には請求項１の発明は、高強度樹脂を主材とした防護板であって、該防護板は、その中央部が前面側に突出するよう左右の幅方向にかけて湾曲させるとともに、左右端から中央部にかけて次第に厚肉とし、しかも中央部寄りの厚肉内に空隙部を形成してなることを特徴とした防護盾に関する。
【０００６】
また請求項２の発明は、高強度樹脂を主材とした防護板であって、該防護板の前面には突出先端が比較的鋭利な突起部を多数形成してなることを特徴とした防護盾に関する。
【発明の効果】
【０００７】
請求項１の発明は、中央部が前面側に突出するよう左右の幅方向にかけて湾曲させた防護板の左右端から中央部にかけて次第に厚肉とし、しかも中央部寄りの厚肉内に空隙部を形成したために、使用時において、鉄棒や刃物類、あるいは拳銃、素手などによる攻撃を受けてもその加撃力が防護板全体に応力分散して対応することができるために耐久強度に優れる。
【０００８】
また請求項２の発明は、防護板の前面に突出先端が比較的鋭利な突起部を多数形成してなるものであるために、殴る蹴るなど素手で暴れる暴漢に立ち向かった場合に、防護板表面に施された先端が比較的鋭利な突起部により暴漢自身が怪我をするおそれがあるために防護板に対する加撃が困難となり、攻撃意欲を減退させることができる。
【発明を実施するための最良の形態】
【０００９】
以下において本発明の具体的な内容を説明すると、図１および図２には本発明の第１実施例があらわされている。同図において１は防護板、２は必要に応じて埋設される網状補強材、３は小窓をあらわしている。  防護板１は高強度樹脂材により形成され、図２にあらわしたように中央部が前面側に突出するよう左右の幅方向にかけて湾曲させるとともに、左右端から中央部にかけて次第に厚肉とし、しかも中央部寄りの厚肉内に防護板１の上下方向に連続した空隙部４・４が形成されている。  なお高強度樹脂材としては好ましくはポリカーボネートが用いられる。
【００１０】
防護板１内に必要に応じて埋設される網状補強材２は、汎用の金属金網材等でもよいが、好ましくは軽量なアルミ線材を一定間隔毎に縦横に編み組みしたもの、あるいはアルミをハニカム状に形成したものなどが用いられる。  この場合に、網状補強材２は防護板１の全面にわたり、あるいは中央部を中心とした大部分の面にわたり施すものとし、樹脂材を防護板１として射出成型する際に、あらかじめ金型内に設置して一体に埋設成型することができる。
【００１１】
またこの場合、網状補強材２は図２に断面であらわしたように防護板１の肉厚方向正面側寄りに位置して防護板１の略全面にわたり埋設されているために強度が十分であるが、本発明においては構成上において必ずしも必須ではない。  さらに防護板１の裏面には把手５が取り付けられる。
【００１２】
この場合の把手５は防護板１の裏面側において、防護板１に対して直交状態にて射出成形あるいは螺子止め等により一体に取り付けられるが、かかる取り付け部分は防護板１に対する接合面が十分に広くなり安定するように防護板１方向に向けて次第に径を増すようにアール部５ａを形成することによって、把手５の取り付け強度をより一層向上させることができる。
【００１３】
また小窓３は防護板１の上方部に位置し、裏面側から前方を覗き見することができる程度の大きさに形成されるものとし、少なくとも該小窓３の部分は透明もしくはスモーク状、あるいは薄い着色等を施すことにより使用者側（裏面側）からは前方を容易に視認できるとともに相手方側（正面側）からは殆ど視認不可能となる程度に透明もしくは半透明に形成する。  なおこの場合の小窓３についても、これを設けることによって使い勝手は向上するが、本発明の構成上において必ずしも必須とするものではない。
【００１４】
さらに図３には本発明の第２実施例があらわされている。同図において１１は高強度樹脂を主材とした防護板をあらわしており、該防護板１の前面（正面側）には突出先端が比較的鋭利な突起部１２を多数形成してなる。  なおこの突起部１２は防護板１１の略全面にわたり形成されているが、中間部より上方の面だけに施してもよい。
【００１５】
またこの場合の防護板１１についても既述した第１実施例における防護板１と同様に、中央部が前面側に突出するよう左右の幅方向にかけて湾曲させるとともに、左右端から中央部にかけて次第に厚肉とし、しかも中央部寄りの厚肉内に空隙部を形成した構成とするとより一層十分な強度を保持させることができる。
【００１６】
さらに第１実施例と同様に防護板１１の全面にわたり、あるいは中央部を中心とした大部分の面にわたり網状補強材を施すようにし、しかも網状補強材２は図２に断面であらわしたように防護板１の肉厚方向正面側寄りに位置して防護板１１の略全面にわたり埋設するようにすると、さらに防護板１１の耐久強度を向上させることができる。
【００１７】
またこの場合の突起部についても、図３に示したような、先端が比較的鋭利な突起部１２を多数形成する場合のほかに、縦横に交差するリブ状のものであって該リブの先端側が次第に鋭利となるように尖らせた構成としてもよい。
【００１８】
上記した両実施例の構成において、使用者は防護板１または１１における背面側の把手を持ち、正面側を暴漢あるいは強盗犯人などに向け、小窓３が設けられているものにあっては、該小窓３から相手方を覗き見しつつ対応するものとし、また防護板１１に多数の突起部１２を突出させたものにあっては、該多数の突起部１２を形成した正面側を相手方に向けて対応することにより相手の攻撃意欲を減退させる。
【図面の簡単な説明】
【００１９】
【図１】本発明の第１実施例である防護盾の正面図。
【図２】図１におけるＡーＡ線矢視方向の部分拡大断面図。
【図３】本発明の第２実施例である防護盾の部分的な断面図。
【符号の説明】
【００２０】
１          防護板
２          網状補強材
３          小窓
４          空隙部
５          把手
５ａ        アール部
１１        防護板
１２        突起部
【図１】
2006329505.tif 000003
【図２】
2006329505.tif 000004
【図３】
2006329505.tif 000005